(57)【要約】【課題】  残量が少ない領域で、燃料の残量の表示精度を上げることができる。【解決手段】  車両用計器は、表示セグメント２１ａ〜２１ｅを表示する液晶表示パネル２０と、車載燃料タンク内の燃料の残量を検出して、この検出される残量の減少に伴い、表示セグメント２１ａ〜２１ｅのうち点灯表示する表示セグメントの数を減らすように液晶表示パネル２０を制御する電子制御装置１０と、を備えており、電子制御装置１０は、表示セグメント２１ａ〜２１ｅのうち残り１つの表示セグメントを点灯表示した後、残量の減少に伴い、表示セグメント２１ａ〜２１ｅの全てを点滅表示させて、更に残量が減少するときにはその減少に伴い点滅表示する表示セグメントの数を減らすように液晶表示パネル２０を制御する。これにより、残量が少ない領域では、残量の減少に伴い、点滅表示する表示セグメントの数を減らす。【選択図】        図３
2005106789.tif 000002
【特許請求の範囲】
【請求項１】
各表示セグメント（２１ａ〜２１ｅ）を表示する表示部（２０）と、
車載燃料タンク内の燃料の残量を検出して、この検出される残量の減少に伴い、前記各表示セグメントのうち点灯表示する表示セグメントの数を減らすように前記表示部を制御する制御手段（１０）と、を備える車両用計器であって、
前記制御手段は、
前記各表示セグメントのうち残り１つの表示セグメントを点灯表示した後、前記残量の減少に伴い、前記各表示セグメントの全てを点滅表示させて、更に前記残量が減少するときにはその減少に伴い前記点滅表示する表示セグメントの数を減らすように前記表示部を制御することを特徴とする車両用計器。
【請求項２】
各表示セグメント（２１ａ〜２１ｅ）を表示する表示部（２０）と、
車載燃料タンク内の燃料の残量を検出して、この検出される残量の減少に伴い、前記各表示セグメントのうち点灯表示する表示セグメントの数を減らすように前記各表示セグメントを制御する制御手段（１０）と、を備える車両用計器であって、
前記制御手段は、
前記各表示セグメントのうち残り１つの表示セグメントを点灯表示した後、更に前記残量が減少するときには、その残量の減少に伴い前記各表示セグメントのうち所定個の表示セグメントを点滅表示させて更に前記残量が減少するときにはその残量の減少に伴い前記所定個の表示セグメントによる点滅のデューティ比を変化させるように前記表示部を制御することを特徴とする車両用計器。
【請求項３】
前記制御手段は、前記残量の減少に伴い前記点滅のデューティ比をリニアに変化させるように前記表示部を制御することを特徴とする請求項２に記載の車両用計器。
【請求項４】
前記制御手段は、
前記燃料の残量が前記表示セグメントの点滅表示により表示可能な最小残量に到達する前では、前記燃料の残量の減少に伴って前記デューティ比をリニアに変化させて、前記燃料の残量が前記最小残量に到達するときには、前記燃料の残量の減少に伴って前記デューティ比が段階的に変化させるように前記表示部を制御することを特徴とする請求項２に記載の車両用計器。
【請求項５】
前記制御手段は、前記残量の減少に伴い前記デューティ比を段階的に変化させることを特徴とする請求項２に記載の車両用計器。
【請求項６】
前記燃料の残量が前記表示セグメントの点滅表示により表示可能な最小残量に到達する前では、前記燃料の残量の減少に伴って前記デューティ比が第１の変化率で変化し、
前記燃料の残量が前記最小残量に到達するときには、前記燃料の残量の減少に伴って前記デューティ比が第２の変化率で変化し、
前記第２の変化率は、前記第１の変化率に比べて大きくなっていることを特徴とする請求項５に記載の車両用計器。
【請求項７】
各表示セグメント（２１ａ〜２１ｅ）を表示する表示部（２０）と、
車載燃料タンク内の燃料の残量を検出して、この検出される残量の減少に伴い、前記各表示セグメントのうち点灯表示する表示セグメントの数を減らすように前記各表示セグメントを制御する制御手段（１０）と、を備える車両用計器であって、
前記制御手段は、
前記各表示セグメントのうち残り１つの表示セグメントを点灯表示した後、更に前記残量が減少するときには、その残量の減少に伴い前記各表示セグメントのうち所定個の表示セグメントを点滅表示させて更に前記残量が減少するときにはその残量の減少に伴い前記所定個の表示セグメントによる点滅周期を変化させるように前記表示部を制御することを特徴とする車両用計器。
【請求項８】
前記制御手段は、前記残量の減少に伴い前記点滅周期をリニアに変化させるように前記表示部を制御することを特徴とする請求項７に記載の車両用計器。
【請求項９】
前記制御手段は、
前記燃料の残量が前記表示セグメントの点滅表示により表示可能な最小残量に到達する前では、前記燃料の残量の減少に伴って前記点滅周期をリニアに変化させて、前記燃料の残量が前記最小残量に到達するときには、前記燃料の残量の減少に伴って前記点滅周期が段階的に変化させるように前記表示部を制御することを特徴とする請求項７に記載の車両用計器。
【請求項１０】
前記制御手段は、前記残量の減少に伴い前記点滅周期を段階的に変化させることを特徴とする請求項７に記載の車両用計器。
【請求項１１】
前記燃料の残量が前記表示セグメントの点滅表示により表示可能な最小残量に到達する前では、前記燃料の残量の減少に伴って前記点滅周期が第１の変化率で変化し、
前記燃料の残量が前記最小残量に到達するときには、前記燃料の残量の減少に伴って前記点滅周期が第２の変化率で変化し、
前記第２の変化率は、前記第１の変化率に比べて大きくなっていることを特徴とする請求項７に記載の車両用計器。
【請求項１２】
前記表示セグメントを点滅表示する場合には、前記表示セグメントを点灯表示するときに比べて、前記残量の表示の分解能が小さく設定されていることを特徴とする請求項２ないし１１のいずれか１つに記載の車両用計器。
【請求項１３】
車両の走行距離を表示するための走行距離表示部（２２ａ〜２２ｆ）が併設されていることを特徴とする請求項１ないし１２のいずれか１つに記載の車両用計器。
【発明の詳細な説明】
【技術分野】
【０００１】
本発明は、車両駆動用燃料タンク内の燃料の残量を検出する車両用計器に関する。
【背景技術】
【０００２】
従来、７つの表示セグメントを略８の字状に並べて数字「０」〜「９」を表示可能に構成されている、いわゆる”７セグ”を複数個有する表示パネルを用いて、車両用駆動用ガソリンタンクの残量を表示する残量計が提案されている（例えば、特許文献１参照）。
【０００３】
このものにおいて、複数の７セグを表示部に構成する必要があるので、表示部の構造が複雑になる。
【０００４】
そこで、表示部の構造を簡素化するために、長方形の表示セグメントを、例えば、５個、横一列に並べただけの表示部を用いて、図１０のごとく、残量が減るにつれて、点灯表示している表示セグメントの数を順次減らしてゆくものも提案されている。
【０００５】
また、残量が例えば１５％未満になると、警告表示させる警告インジケータ用のランプなどを別途、設けて、警告インジケータ用のランプの点灯により、少なくとも残量が１５％未満であることをユーザに通知するものも提案されている。
【特許文献１】特開２００３−９７９７７号公報
【発明の開示】
【発明が解決しようとする課題】
【０００６】
ところで、上述のごとく、残量が減るにつれて、点灯表示する表示セグメントの数を順次減らしてゆく残量計では、図１０（ｅ）に示すように、残量が２０％〜０％のとき、最後の１つの表示セグメントを点灯表示させるものの、残量が２０％未満で変化しても、表示セグメントによる表示が変化しない。すなわち、残量が少ない領域で、燃料の残量の表示精度が低く、ユーザにとって、残量が２０％〜０％のうち何れなのかが分からない。
【０００７】
また、上述のように、警告インジケータ用のランプを設けて、少なくとも残量が１５％未満であることをユーザに通知する場合には、警告インジケータ用のランプなどの新たな部品が必要になり、コストアップを招くことになる。
【０００８】
本発明は、上記点に鑑み、燃料の残量を表示する車両用計器において、コストアップを招くことなく、残量が少ない領域で、燃料の残量の表示精度を上げるようにすることを目的とする。
【課題を解決するための手段】
【０００９】
上記目的を達成するため、請求項１に記載の発明では、各表示セグメント（２１ａ〜２１ｅ）を表示する表示部（２０）と、車載燃料タンク内の燃料の残量を検出して、この検出される残量の減少に伴い、前記各表示セグメントのうち点灯表示する表示セグメントの数を減らすように前記表示部を制御する制御手段（１０）と、を備える車両用計器であって、前記制御手段は、前記各表示セグメントのうち残り１つの表示セグメントを点灯表示した後、前記残量の減少に伴い、前記各表示セグメントの全てを点滅表示させて、更に前記残量が減少するときにはその減少に伴い前記点滅表示する表示セグメントの数を減らすように前記表示部を制御することを特徴とする。
【００１０】
したがって、残量が少ない領域においては、点滅表示する表示セグメントの数を減らすことにより、残量の減少をユーザに表示することができる。この場合、新たなランプ等の部品を追加していないので、コストアップを招くことなく、残量が少ない領域で、燃料の残量の表示精度を上げることができる。
【００１１】
また、請求項２に記載の発明では、各表示セグメント（２１ａ〜２１ｅ）を表示する表示部（２０）と、車載燃料タンク内の燃料の残量を検出して、この検出される残量の減少に伴い、前記各表示セグメントのうち点灯表示する表示セグメントの数を減らすように前記各表示セグメントを制御する制御手段（１０）と、を備える車両用計器であって、前記制御手段は、前記各表示セグメントのうち残り１つの表示セグメントを点灯表示した後、更に前記残量が減少するときには、その残量の減少に伴い前記各表示セグメントのうち所定個の表示セグメントを点滅表示させて更に前記残量が減少するときにはその残量の減少に伴い前記所定個の表示セグメントによる点滅のデューティ比を変化させるように前記表示部を制御することを特徴とする。
【００１２】
したがって、残量が少ない領域においては、所定個の表示セグメントによる点滅のデューティ比を変化させることにより、請求項１に記載の発明と同様、残量の減少をユーザに表示することができる。この場合、新たなランプ等の部品を追加していないので、コストアップを招くことなく、残量が少ない領域で、燃料の残量の表示精度を上げることができる。
【００１３】
具体的には、請求項３に記載の発明のように、前記制御手段が、前記残量の減少に伴い前記点滅のデューティ比をリニアに変化させるように前記表示部を制御してもよい。
【００１４】
また、請求項４に記載の発明では、前記制御手段は、前記燃料の残量が前記表示セグメントの点滅表示により表示可能な最小残量に到達する前では、前記燃料の残量の減少に伴って前記デューティ比をリニアに変化させて、前記燃料の残量が前記最小残量に到達するときには、前記燃料の残量の減少に伴って前記デューティ比が段階的に変化させるように前記表示部を制御することを特徴とする。
【００１５】
したがって、燃料の残量が最小残量に到達するときには、デューティ比を段階的に変化させることにより、残量が最小残量に到達したことをユーザに明確に表示することができる。
【００１６】
また、請求項５に記載の発明のように、前記制御手段が、前記残量の減少に伴い前記デューティ比を段階的に変化させるようにしてもよい。
【００１７】
更に、請求項６に記載の発明では、前記燃料の残量が前記表示セグメントの点滅表示により表示可能な最小残量に到達する前では、前記燃料の残量の減少に伴って前記デューティ比が第１の変化率で変化し、前記燃料の残量が前記最小残量に到達するときには、前記燃料の残量の減少に伴って前記デューティ比が第２の変化率で変化し、前記第２の変化率は、前記第１の変化率に比べて大きくなっていることを特徴とする。
【００１８】
したがって、燃料の残量が最小残量に到達したとき、デューティ比が第２の変化率にて変化することにより、燃料の残量が最小残量に到達した旨をユーザに明確に表示することができる。
【００１９】
請求項７に記載に発明では、各表示セグメント（２１ａ〜２１ｅ）を表示する表示部（２０）と、車載燃料タンク内の燃料の残量を検出して、この検出される残量の減少に伴い、前記各表示セグメントのうち点灯表示する表示セグメントの数を減らすように前記各表示セグメントを制御する制御手段（１０）と、を備える車両用計器であって、前記制御手段は、前記各表示セグメントのうち残り１つの表示セグメントを点灯表示した後、更に前記残量が減少するときには、その残量の減少に伴い前記各表示セグメントのうち所定個の表示セグメントを点滅表示させて更に前記残量が減少するときにはその残量の減少に伴い前記所定個の表示セグメントによる点滅周期を変化させるように前記表示部を制御することを特徴とする。
【００２０】
したがって、残量が少ない領域では、残量の減少に伴い所定個の表示セグメントによる点滅周期を変化させることにより、請求項１に記載の発明と同様、残量の減少をユーザに表示することができる。この場合、新たなランプ等の部品を追加していないので、コストアップを招くことなく、残量が少ない領域で、燃料の残量の表示精度を上げることができる。
【００２１】
具体的には、請求項８に記載の発明のように、制御手段は、残量の減少に伴い点滅周期をリニアに変化させるように表示部を制御してもよい。
【００２２】
また、請求項９に記載の発明では、前記制御手段は、前記燃料の残量が前記表示セグメントの点滅表示により表示可能な最小残量に到達する前では、前記燃料の残量の減少に伴って前記点滅周期をリニアに変化させて、前記燃料の残量が前記最小残量に到達するときには、前記燃料の残量の減少に伴って前記点滅周期が段階的に変化させるように前記表示部を制御することを特徴とする。
【００２３】
したがって、燃料の残量が最小残量に到達するときには、点滅周期が段階的に変化させることにより、燃料の残量が最小残量に到達した旨をユーザに明確に表示することができる。
【００２４】
さらに、請求項１０に記載の発明のように、制御手段は、前記残量の減少に伴い前記点滅周期を段階的に変化させてもよい。
【００２５】
請求項１１に記載の発明では、前記燃料の残量が前記表示セグメントの点滅表示により表示可能な最小残量に到達する前では、前記燃料の残量の減少に伴って前記点滅周期が第１の変化率で変化し、前記燃料の残量が前記最小残量に到達するときには、前記燃料の残量の減少に伴って前記点滅周期が第２の変化率で変化し、前記第２の変化率は、前記第１の変化率に比べて大きくなっていることを特徴とする。
【００２６】
したがって、燃料の残量が最小残量に到達したとき、点滅周期が第２の変化率にて変化することにより、燃料の残量が最小残量に到達した旨をユーザに明確に表示することができる。
【００２７】
また、請求項１２に記載の発明のように、表示セグメントを点滅表示する場合には、前記表示セグメントを点灯表示するときに比べて、前記残量の表示の分解能が小さく設定されていれば、点滅表示する場合には、点灯表示するときに比べて、高精度に残量の表示を行うことができる。
【００２８】
なお、請求項１３に記載の発明のように、車両の走行距離を表示するための走行距離表示部（２２ａ〜２２ｆ）が併設されるように構成しても良い。
【００２９】
なお、上記各手段の括弧内の符号は、後述する実施形態に記載の具体的手段との対応関係を示すものである。
【発明を実施するための最良の形態】
【００３０】
（第１実施形態）
図１に本発明の第１実施形態の車両用計器の電気的概略構成を示す。図１において、車両用計器は、電子制御装置１０、および液晶表示パネル２０から構成されており、電子制御装置１０は、周知のマイクロコンピュータ及びメモリなどから構成されている。
【００３１】
電子制御装置１０は、車両の駆動輪の回転数を検出する車速センサ４０から出力されるセンサ出力に基づき、走行距離を求めるとともに、この走行距離を液晶表示パネル２０に表示させるための処理を実行する。
【００３２】
また、電子制御装置１０は、車載燃料タンク内のガソリンの残量を検出する残量センサ３０から出力されるセンサ出力に基づき、ガソリンの残量を検出するとともに、この検出されたガソリンの残量を液晶表示パネル２０に表示させる。
【００３３】
ここで、残量センサ３０としては、車載燃料タンク内のガソリンに浮かぶフロートと、このフロートの高さを検出するポテンショメータとからが用いられ、この検出高さに基づきガソリンの残量が電子制御装置１０によって算出されることになる。
【００３４】
なお、ガソリンとは、車両駆動用エンジンの燃料として用いられるものであり、駆動用エンジンによっては、ガソリンに代えて、軽油など各種の液体燃料を用いても良い。
【００３５】
また、液晶表示パネル２０は、長方形の表示セグメント２１ａ〜２１ｅ、および、７セグ２２ａ〜２２ｆを、それぞれ左右に一列に並べるように表示可能に構成されている。また、表示セグメント２１ａ〜２１ｅとしては、ガソリンの残量の表示に用いられる一方、７セグ２２ａ〜２２ｆとしては、車両の走行距離の表示に用いられる。なお、液晶表示パネル２０は、車室内のインストルメントパネルにて車両後方に向けて配置されている。
【００３６】
次に、本実施形態の作動について図３、図４を用いて説明する。図３は、電子制御装置１０による液晶表示パネル２０の表示処理を示す制御フローチャートであり、図４（ａ）〜（ｊ）は、液晶表示パネル２０での表示セグメント２１ａ〜２１ｅの表示状態を示す図である。
【００３７】
先ず、電子制御装置１０が、図３の制御フローチャートにしたがって、コンピュータプログラムを実行する。このコンピュータプログラムは、一定周期毎に、実行される。
【００３８】
先ず、残量センサ３０からのセンサ出力に基づき、ガソリンの残量（％）を算出する。この残量（％）とは、車載燃料タンク内にガソリンが満タン状態に充填された状態を１００％とする比率を百分率にて示す値である。
【００３９】
ここで、ガソリンの残量（％）が１００％〜８０％のとき（Ｓ１００）、図４（ａ）に示すように、表示セグメント２１ａ〜２１ｅの全てを点灯表示させるように液晶表示パネル２０を制御する（Ｓ１０１）。
【００４０】
その後、ガソリンの残量（％）が８０％〜６０％であることを判定すると（Ｓ１１０）、図４（ｂ）に示すように、表示セグメント２１ｅを消灯して、かつ、表示セグメント２１ａ〜２１ｄを点灯表示させるように液晶表示パネル２０を制御する（Ｓ１１１）。
【００４１】
さらに、ガソリンの残量（％）が６０％〜４０％であると判定すると、図４（ｃ）に示すように、表示セグメント２１ｄを消灯して、かつ、表示セグメント２１ａ〜２１ｃを点灯表示させるように液晶表示パネル２０を制御する。
【００４２】
その後、ガソリンの残量（％）が４０％〜２０％であると判定すると、図４（ｄ）に示すように、表示セグメント２１ｃを消灯して、かつ、表示セグメント２１ａ、２１ｂを点灯表示させるように液晶表示パネル２０を制御する。
【００４３】
そして、ガソリンの残量（％）が２０％〜１５％であると判定すると（Ｓ１２０）、図４（ｅ）に示すように、表示セグメント２１ｂを消灯して、かつ、表示セグメント２１ａだけを残り１つの表示セグメントとして点灯表示させるように液晶表示パネル２０を制御する（Ｓ１２１）。
【００４４】
その後、ガソリンの残量（％）が１５％〜１２％であると判定すると（Ｓ１３０）、図４（ｆ）に示すように、表示セグメント２１ａ〜２１ｅの全てを点滅表示させるように液晶表示パネル２０を制御する（Ｓ１３１）。
【００４５】
そして、更にガソリンの残量（％）が減少して１２％〜９％であると判定すると（Ｓ１４０）、その減少に伴い、図４（ｇ）に示すように、表示セグメント２１ｅを消灯して、かつ、表示セグメント２１ａ〜２１ｄを点滅表示させるように液晶表示パネル２０を制御する（Ｓ１４１）。
【００４６】
さらに、ガソリンの残量（％）が９％〜６％であると判定すると（Ｓ１５０）、図４（ｈ）に示すように、表示セグメント２１ｄを消灯して、かつ、表示セグメント２１ａ〜２１ｃを点滅表示させるように液晶表示パネル２０を制御する（Ｓ１５１）。
【００４７】
その後、ガソリンの残量（％）が６％〜３％であると判定すると（Ｓ１６０）、図４（ｉ）に示すように、表示セグメント２１ｃを消灯して、かつ、表示セグメント２１ａ、２１ｂを点滅表示させるように液晶表示パネル２０を制御する（Ｓ１６１）。
【００４８】
そして、ガソリンの残量（％）が３％〜０％である判定すると（Ｓ１７０）、図４（ｊ）に示すように、表示セグメント２１ｂを消灯して、かつ、表示セグメント２１ａだけを残り１つの表示セグメントとして点滅表示させるように液晶表示パネル２０を制御する（Ｓ１７１）。
【００４９】
以上説明したように本実施形態によれば、残量が１５％未満の領域（すなわち、残量が少ない領域）になると、表示セグメント２１ａ〜２１ｅの全てを点滅表示させて、更に残量が減少するときにはその減少に伴い点滅表示する表示セグメントの数を減らすことにより、残量の減少をユーザに対して表示することができる。
【００５０】
ここで、表示セグメントやランプ等などの部品を従来の車両用計器に対して追加してないので、コストアップを招くことなく、燃料の残量の表示精度を上げることができる。
【００５１】
また、本実施形態によれば、図４（ａ）〜（ｄ）に示すように、表示セグメントを点灯表示するときには（但し、図４（ｅ）の場合を除く）、残量率が２０％以上減少すると、１つの表示セグメントを消灯するのに対して、図４（ｆ）〜（ｊ）に示すように、表示セグメントを点滅表示するときには、残量率が３％以上減少すると、１つの表示セグメントを消灯する。
【００５２】
以上によれば、表示セグメントを点滅表示する場合には、表示セグメントを点灯表示するときに比べて、残量表示の分解能を小さく設定されていることになり、残量が少ない領域では、高精度に残量の表示を行うことができる。
【００５３】
（第２実施形態）
上述の第１実施形態では、残量１５％未満の領域にて、残量率が減るにつれて点滅表示する表示セグメントの数を減らすようにした例について説明したが、これに代えて、点滅表示する表示セグメントの点滅周期を一定にして、オンデューティ比を変化させるようにする。
【００５４】
ここで、本実施形態では、オンデューティ比（ＯＮＤｕｔｙ）としては、図５に示すように、１周期Ｔのうち点灯（オン）している期間Ｔｏの比率（％）を表すものである｛ｄ＝（Ｔｏ／Ｔ）×１００｝。
【００５５】
次に、本実施形態の具体的な作動について図６、図７を用いて説明する。図６（ａ）〜（ｆ）は、液晶表示パネル２０での表示セグメント２１ａ〜２１ｅの表示状態を示す図であり、図７は、デューティ比と残量率との関係を示すグラフである。
【００５６】
例えば、ガソリンの残量（％）が１００％〜１５％のときには、上述の第１実施形態と同様に、図６（ａ）〜図５（ｅ）に示すように、残量（％）が減少するにつれて、点灯表示している表示セグメントを１つずつ順次消灯していき、残り１つの表示セグメントだけを点灯された後、更に残量が減少するときにはその残量（％）の減少に伴い、次のように液晶表示パネル２０を制御する。
【００５７】
すなわち、図６（ｆ）に示すように、ガソリンの残量（％）が１５％〜１０％になると、オンデューティ比を８０パーセントとして、残り１つの表示セグメント２１ａを点滅表示させる。
【００５８】
その後、図６（ｇ）に示すように、ガソリンの残量（％）が１０％〜５％になると、残り１つの表示セグメント２１ａのオンデューティ比を５０パーセントに低下させて、さらに、ガソリンの残量（％）が５％〜０％になると、図６（ｈ）に示すように、残り１つの表示セグメント２１ａのオンデューティ比を２０パーセントに低下させる。
【００５９】
以上によれば、ガソリンの残量（％）が１５％〜１０％、１０％〜５％、５％〜０％の順で低下すると、図７に示すように、残り１つの表示セグメント２１ａのオンデューティ比が階段状に低下することになる。
【００６０】
本実施形態では、ガソリンの残量が表示セグメントの点滅表示により表示可能な最小残量（５％〜０％）に到達する前では、すなわち、残量が（１５％〜１０％）から（１０％〜５％）に減少するときには、オンデューティ比の変化率は１．６％（＝８０％／５０％：第１の変化率）となる一方、残量が（１０％〜５％）から（５％〜０％）に減少するときには、オンデューティ比の変化率は、２．５％（＝５０％／２０％：第２の変化率）となる。
【００６１】
したがって、残量が最小残量（５％〜０％）に到達したとき、オンデューティ比が２．５％にて変化することにより、燃料の残量が最小残量に到達した旨をユーザに明確に表示することができる。
【００６２】
上述の第２実施形態では、一般的に、視覚表示におけるドライバが感じる緊急度（重大性）の強さは、オンデューティが小さいほど高いので、残量が減少するほどオンデューティを減少させる例を示したが、これに代えて、残量が減少するほどオンデューティを増加させるようにしてもよい。
【００６３】
上述の第２実施形態では、オンデューティを減少させて残量の減少を表示する例を示したが、これに代えて、残量の減少に伴い点滅周期を小さく（或いは、大きくして）残量の減少を表示するようにしてもよい。
【００６４】
（第３実施形態）
上述の第２実施形態では、ガソリンの残量（％）が１５％〜０％の範囲で低下すると、残り１つの表示セグメント２１ａのオンデューティ比が階段状に低下する例について説明したが、これに代えて、本第３実施形態では、表示セグメント２１ａのオンデューティ比がリニア（すなわち無階段状）に低下させるようにする。
【００６５】
具体的には、ガソリンの残量（％）が１５％〜０％で減少すると、図８、図９に示すように、残量の減少に伴い、残り１つの表示セグメント２１ａのオンデューティ比を８０％〜５０％の間でリニア（すなわち無階段状）に低下させる。
【００６６】
なお、図８（ａ）〜（ｇ）は、液晶表示パネル２０での表示セグメント２１ａ〜２１ｅの表示状態を示す図であり、図９は、オンデューティ比と残量率との関係を示すグラフである。
【００６７】
上述の第３実施形態では、ガソリンの残量（％）が１５％〜０％の範囲で低下すると、オンデューティ比をリニアに変化させる例について説明したが、これに代えて、点滅周期をリニアに変化させるようにしてもよい。
【００６８】
上述の第３実施形態では、ガソリンの残量（％）が１５％〜０％の範囲で低下すると、オンデューティ比をリニアに変化させるようにした例について説明したが、これに代えて、ガソリンの残量（％）が１５％〜５％の範囲で低下したとき、すなわち、最小残量（５％〜０％）に到達する前では、オンデューティ比をリニアに変化させて、かつ、ガソリンの残量（％）最小残量（５％〜０％）に到達したとき、オンデューティ比を段階的に変化させるようにしてもよい。
【００６９】
さらに、これに代えて、ガソリンの残量（％）が１５％〜５％の範囲で低下したとき、点滅周期をリニアに変化させて、かつ、ガソリンの残量（％）最小残量（５％〜０％）に到達したとき、点滅周期を段階的に変化させるようにしてもよい。
【００７０】
（その他の実施形態）
上述の各実施形態では、表示部として、液晶表示パネルを用いた例を示したが、これに代えて、ＥＬなどの各種の表示パネルを用いてもよい。
【００７１】
上述の第２、第３実施形態では、所定の表示セグメントとしての残り１つの表示セグメント２１ａを点滅させる例について説明したが、これに代えて、いずれか２つ以上の表示セグメントを点滅させるようにしてもよい。
【図面の簡単な説明】
【００７２】
【図１】本発明の第１実施形態に係る車両用計器の概略構成を示すブロック図である。
【図２】図１の液晶表示パネルを示す図である。
【図３】上述の第１実施形態に係る制御フローチャートである。
【図４】上述の第１実施形態に係る液晶表示パネルの表示を示す図である。
【図５】本発明の第２実施形態に係る作動を説明するための図である。
【図６】上述の第２実施形態に係る液晶表示パネルの表示を示す図である。
【図７】上述の第２実施形態の作動を説明するための図である。
【図８】本発明の第３実施形態に係る液晶表示パネルの表示を示す図である。
【図９】上述の第３実施形態の作動を説明するための図である。
【図１０】従来の車両用計器の燃料の残量の表示を示す図である。
【符号の説明】
【００７３】
１０…電子制御装置、２０…液晶表示パネル、
２１ａ〜２１ｅ…表示セグメント。
【図１】
2005106789.tif 000003
【図２】
2005106789.tif 000004
【図３】
2005106789.tif 000005
【図４】
2005106789.tif 000006
【図５】
2005106789.tif 000007
【図６】
2005106789.tif 000008
【図７】
2005106789.tif 000009
【図８】
2005106789.tif 000010
【図９】
2005106789.tif 000011
【図１０】
2005106789.tif 000012